(57)【要約】  本発明は、少なくとも一つの弾性領域(143)を具備してなる吸収用品(101)に関する。本発明によれば、用品(101)は弾性領域(143)の伸びをチェックするための手段(131)を具備してなり、かつ手段(131)は弾性領域(143)に連結された第１の指標マーカー(133)ならびに第２の材料片(135)に対して連結された第２の指標マーカー(134)を具備してなり、かつ第１の指標マーカー(133)ならびに第２の指標マーカー(134)は、弾性領域(143)の伸びの方向に互いに変位可能となっており、これによって、非伸長ポジションからの弾性領域(143)の伸びに関連する第１および第２の指標マーカー(133,134)間の相対ポジションの変化によって、弾性領域の伸びの量が提示されるようになっている。
2008522781.tif 000002
【特許請求の範囲】
【請求項１】
少なくとも一つの弾性領域(１０７,１４３,１４４,２４４)を具備してなる吸収用品(１０１,２０１)であって、
前記用品(１０１,２０１)は前記弾性領域(１０７,１４３,１４４,２４４)の伸びをチェックするための手段(１３１,１３２,２３１)を具備してなり、かつ前記手段(１３１,１３２,２３１)は前記弾性領域(１０７,１４３,１４４,２４４)に連結された第１の指標マーカー(１３３,１４１,２３３)ならびに第２の材料片(１３５,１４５,２５０)に対して連結された第２の指標マーカー(１３４,１４２,２３４)を具備してなり、かつ前記第１の指標マーカー(１３３,１４１,２３３)ならびに前記第２の指標マーカー(１３４,１４２,２３４)は、前記弾性領域(１０７,１４３,１４４,２４４)の伸びの方向に互いに変位可能となっており、これによって、非伸長ポジションからの前記弾性領域(１０７,１４３,１４４,２４４)の伸びに関連する前記第１および前記第２の指標マーカー(１３３,１４１,２３３,１３４,１４２,２３４)間の相対ポジションの変化によって、前記弾性領域の伸びの量が提示されるようになっていることを特徴とする吸収用品(１０１,２０１)。
【請求項２】
前記第１の指標マーカー(１３３,１４１,２３３)は、前記弾性領域(１０７,１４３,１４４,２４４)が引き伸ばされた際に伸びの方向に変位させられ、この結果として、それが前記第２の指標マーカー(１３４,１４２,２３４)よりも大きな距離にわたって変位させられるようになっていることを特徴とする請求項１に記載の吸収用品(１０１,２０１)。
【請求項３】
前記第１の指標マーカー(１３３,１４１,２３３)と前記第２の指標マーカー(１３４,１４２,２３４)との間の相互距離は、前記弾性領域(１０７,１４３,１４４,２４４)の初期伸びに関連して縮小するようになっていることを特徴とする請求項１または請求項２に記載の吸収用品(１０１,２０１)。
【請求項４】
前記第２の指標マーカー(１３４,１４２)を具備してなる前記第２の材料片(１３５,１４５)は、前記弾性領域(１４３,１４４)の伸びの方向と実質的に直交する取り付けラインに沿って前記弾性領域(１４３,１４４)に対して取り付けられており、かつ前記第２の指標マーカー(１３４,１４２)は、前記弾性領域(１４３,１４４)の伸びの方向に前記取り付け部から距離を置いて配置されていることを特徴とする請求項１ないし請求項３のいずれか１項に記載の吸収用品(１０１)。
【請求項５】
前記第２の指標マーカー(１３４,１４２)は、前記第２の材料片(１３５,１４５)の一つの縁部から構成され、かつ前記縁部は、前記弾性領域(１４３,１４４)の伸びの方向と実質的に直交する前記材料片(１３５,１４５)の前記取り付けラインから距離を置いて配置されていることを特徴とする請求項４に記載の吸収用品(１０１)。
【請求項６】
前記第１の指標マーカー(２３３)は、前記弾性領域(２４４)が引き伸ばされていない状態では、前記第２の材料片(２３５)の下に隠れるようになっていることを特徴とする請求項１ないし請求項５のいずれか１項に記載の吸収用品(２０１)。
【請求項７】
前記第１の指標マーカー(２３３)は少なくとも二つの指標レベルを具備してなり、かつ少なくとも一つの指標レベルは、前記弾性領域(２４４)が過度に引き伸ばされたことを指し示すようになっていることを特徴とする請求項１ないし請求項６のいずれか１項に記載の吸収用品(２０１)。
【請求項８】
少なくとも一つの指標レベルは、前記用品(２０１)の前記弾性領域(２４４)が前記用品(２０１)の良好な機能を確保するのに十分なほどには引き伸ばされていないことを指し示すようになっていることを特徴とする請求項７に記載の吸収用品(２０１)。
【請求項９】
前記用品(１０１)はパンツ型おむつであることを特徴とする請求項１ないし請求項８のいずれか１項に記載の吸収用品(１０１)。
【請求項１０】
前記弾性領域(１４３)は、前記パンツ型おむつのウエスト部伸縮体(１２５)からなることを特徴とする請求項９に記載の吸収用品(１０１)。
【請求項１１】
前記用品(１０１)は開放式オールインワン型おむつ(１０１)であることを特徴とする請求項１ないし請求項８のいずれか１項に記載の吸収用品(１０１)。
【請求項１２】
前記弾性領域(１４４)は、前記オールインワン型おむつ(１０１)の取り付けフラップ(１２６)の少なくとも一つの少なくとも一部分からなることを特徴とする請求項１１に記載の吸収用品(１０１)。
【請求項１３】
前記取り付けフラップ(１２６)は、前記おむつ(１０１)の前記長手方向縁部(１１２,１１３)と前記長手方向中心ライン(１２８)との間で、前記オールインワン型おむつ(１０１)の裏当て層(１０４)に対して取り付けられており、かつ前記第１の指標マーカー(１４１)は前記取り付け部と前記長手方向縁部(１１２,１１３)との間で前記取り付けフラップ(１２６)上に配置されており、かつ前記取り付け部と前記第１の指標マーカー(１４１)との間の前記取り付けフラップ(１２６)の少なくとも一部分は弾力性を有し、かつ前記第２の指標マーカー(１４２)は、前記第１の指標マーカー(１４１)と前記長手方向縁部(１１２,１１３)との間で前記裏当て層(１０４)の上に配置されると共に前記用品(１０１)の横方向に位置させられており、かつ前記裏当て層(１０４)は前記第２の材料片(１４５)を形成していることを特徴とする請求項１２に記載の吸収用品(１０１)。
【請求項１４】
前記第２の指標マーカー(１４２)は、前記オールインワン型おむつ(１０１)の前記長手方向縁部(１１２,１１３)からなることを特徴とする請求項１３に記載の吸収用品(１０１)。
【請求項１５】
前記オールインワン型おむつ(１０１)の、前記裏当て層(１０４)に対するその取り付け部と前記長手方向縁部(１１２,１１３)との間の、前記取り付けフラップ(１２６)の領域の少なくとも一部分は、材料片の下に隠れるようになっていることを特徴とする請求項１３または請求項１４に記載の吸収用品(１０１)。
【請求項１６】
前記材料片は前記裏当て層(１０４)と共にポケットを形成し、かつ前記ポケットは開放されており、前記取り付けフラップが前記ポケットから外部に延在しており、前記取り付けフラップ(１２６)と前記裏当て層(１０４)との間の前記取り付け部は前記ポケット内に配置されていることを特徴とする請求項１５に記載の吸収用品(１０１)。
【請求項１７】
前記弾性領域(１４３)は、前記オールインワン型おむつ(１０１)の前記ウエスト部伸縮体(１２５)からなることを特徴とする請求項１１に記載の吸収用品(１０１)。
【請求項１８】
前記用品(２０１)は、いわゆるベルト型おむつ(２０１)であることを特徴とする請求項１ないし請求項８のいずれか１項に記載の吸収用品(２０１)。
【請求項１９】
前記弾性領域(２４４)は、前記ベルト型おむつ(２０１)のベルト半体(２４６,２４７)の少なくとも一つの少なくとも一部分からなることを特徴とする請求項１８に記載の吸収用品(２０１)。
【請求項２０】
前記ベルト半体(２４６,２４７)は、前記おむつ(２０１)の前記長手方向縁部(２１２,２１３)と前記長手方向中心ライン(２２８)との間で前記ベルト型おむつ(２０１)の前記裏当て層(２０４)に対して取り付けられており、かつ前記第１の指標マーカー(２３３)は前記取り付け部と前記長手方向縁部(２１２,２１３)との間で前記ベルト半体(２４６,２４７)上に配置されており、かつ前記取り付け部と前記第１の指標マーカー(２３３)との間の前記ベルト半体(２４６,２４７)の少なくとも一部分は弾力性を有し、かつ前記第２の指標マーカー(２３４)は、前記第１の指標マーカー(２３３)と前記長手方向縁部(２１２,２１３)との間で前記裏当て層(２０４)の上に配置されると共に前記用品(２０１)の横方向に位置させられており、かつ前記裏当て層(２０４)は前記第２の材料片を形成していることを特徴とする請求項１９に記載の吸収用品(２０１)。
【請求項２１】
前記第２の指標マーカーは、前記ベルト型おむつ(２０１)の前記長手方向縁部(２１２,２１３)からなることを特徴とする請求項２０に記載の吸収用品(２０１)。
【請求項２２】
前記ベルト半体(２４６,２４７)は、前記液体透過性被覆層(２０２)と前記裏当て層(２０４)との間に配置されることを特徴とする請求項２１に記載の吸収用品(２０１)。
【請求項２３】
前記ベルト型おむつ(２０１)の、前記裏当て層(２０４)に対するその取り付け部と前記長手方向縁部(２１２,２１３)との間の、前記ベルト半体(２４６,２４７)の領域の少なくとも一部分は、材料片(２５０)の下に隠れるようになっていることを特徴とする請求項１８に記載の吸収用品(２０１)。
【請求項２４】
前記材料片(２５０)は前記裏当て層(２０４)と共にポケット(２５１)を形成し、かつ前記ポケット(２５１)は開放されており、前記ベルト半体(２４６,２４７)が前記ポケット(２５１)から外側に延在しており、前記ベルト半体(２４６,２４７)と前記裏当て層(２０４)との間の前記取り付け部は前記ポケット(２５１)内に配置されていることを特徴とする請求項２２に記載の吸収用品(２０１)。
【発明の詳細な説明】
【技術分野】
【０００１】
本発明は、少なくとも一つの弾性領域を具備してなる吸収用品に関する。
【背景技術】
【０００２】
おむつ、生理用ナプキン、失禁症者用保護具などの吸収用品に関しては、さまざまな様式で実現された弾性領域の構成は既に公知である。
【０００３】
たとえば引き伸ばされた状態で用品の被覆層に対して取り付けられる弾性糸あるいは弾性テープを用品に付与することで、たとえば弾性領域を設けるのが一般的である。
【０００４】
弾性領域は、多くの場合、それが着用者の脚の周りや着用者のウエスト周りなどに用品を密着させるよう配置される。
【０００５】
ある用品に関しては全面が弾性領域からなることもある。たとえば、用品装着時に着用者とは反対側を向くよう意図された用品の面に配された弾性被覆カバーを備えた用品が知られている。
【０００６】
着用者の脚の周りに用品を密着させる弾性領域については、たとえば特許文献１に開示されている。
【０００７】
弾性領域はまた、数多くのさまざまな特許明細書に開示されているが、その中で、弾性領域は用品のウエスト部領域に配置されている。そうした文献の一例として特許文献２が挙げられる。
【０００８】
用品の装着に関連して着用者のウエスト周りに用品を固定するための取り付けフラップは、たいてい弾性材料を含むその他の応用例であり、これに関連して、取り付けフラップの長さの少なくとも一部は弾力性を有する。そうした取り付けフラップの一例は、特許文献３に開示されている。
【０００９】
何らかの形態の弾性領域を具備してなる上記用品の全てに関係する欠点は、弾性領域が着用者の周りで過度の緊張状態で引き伸ばされてしまうという重大なリスクが存在することであり、この結果、肌の刺激、血流の問題などが生じ得る。
【００１０】
たとえば、過度に小さい用品は、その取り付けフラップを過度に遠方まで引き伸ばすことによって着用者のウエストの周りに固定でき、その結果、用品全体のウエスト部領域は、着用者のウエストの周りで過度にきつく緊張させられる。
【００１１】
他の通常よく見られる問題は、吸収用品の脚部伸縮体が着用者の脚を過度にきつく包囲してしまうことであり、この結果、脚部伸縮体は着用者の鼠径部に食い込んでしまい、これによって、たいてい赤い斑点、擦り剥け、あるいはその他の肌の炎症が生じる。
【００１２】
尿および／またはふん便を含む吸収用品が身体に過度に圧着するのは特に望ましくない取り合わせであるが、これは都合の悪いことに吸収用品に関しては非常にありふれたことである。この取り合わせは、肌の炎症に関するリスクを著しく増大させる。
【００１３】
弾性領域を含む吸収用品の利用に関係する他の問題は、伸縮体が十分にきつく緊張させられないことである。たとえば、通常よく見られる状況は、親は自分の子供の体の周りでおむつを十分にきつく緊張させた状態とはしないというものであるが、これは、幼児にへその緒が残っている限り特によく見られる状況である。おむつの緊張具合が過度に緩いものである場合には、たいてい、尿および／またはふん便の無用な漏れ出しが生じる。
【特許文献１】米国特許第3,860,003号明細書
【特許文献２】国際公開第93/17648号パンフレット
【特許文献３】米国特許第5,916,207号明細書
【発明の開示】
【発明が解決しようとする課題】
【００１４】
したがって、用品の弾性領域の張力が意図した範囲内にあり、かつ過度にきつくないことあるいは過度に緩くないことをチェックすることができる吸収用品が求められている。
【課題を解決するための手段】
【００１５】
冒頭で述べた種類の吸収用品が本発明によって実現されたが、これは先に説明した吸収用品に関連する問題を本質的に解決する。
【００１６】
本発明による吸収用品は、まず第一に、当該用品が弾性領域の伸びをチェックするための手段を具備してなることによって特徴付けられる。このために、当該手段は、弾性領域に連結された第１の指標マーカーと、他の材料片に連結された第２の指標マーカーとを具備してなる。第１の指標マーカーと第２の指標マーカーとは、弾性領域の伸びの方向に互いに変位可能であり、これによって、非伸長ポジションからの弾性領域の伸びに関連する第１および第２の指標マーカー間の相対ポジションの変化によって、弾性領域の伸びの量が提示されるようになっている。
【００１７】
第１実施形態によれば、弾性領域が引き伸ばされたとき、伸びの方向に第１の指標マーカーが変位させられ、この結果、それは第２の指標マーカーよりも長い距離にわたって変位させられる。
【００１８】
第２実施形態によれば、第１の指標マーカーと第２の指標マーカーとの間の相互距離は、弾性領域の初期伸びに関連して縮小する。
【００１９】
第３実施形態によれば、第２の指標マーカーを具備してなる第２の材料片は、弾性領域の伸びの方向と実質的に直交する取り付けラインに沿って弾性領域に対して取り付けられている。第２の指標マーカーは、弾性領域の伸びの方向に上記取り付け部から距離を置いて配置されている。弾性領域が引き伸ばされたとき、垂直取り付け部と、別個の材料片上に配置された第２の指標マーカーとの間の距離は変化しない。垂直取り付け部と第１の指標マーカーとの間の距離は、その一方で、上記接合部と第１の指標マーカーとの間の弾性領域が引き伸ばされるときに変化する。
【００２０】
本発明の一実施形態によれば、第２の指標マーカーは第２の材料片の一方の縁部からなる。この縁部は材料片の接合ラインから距離を置いて配置されており、かつそれは弾性領域の伸びの方向と実質的に直交している。
【００２１】
他の実施形態によれば、第１の指標マーカーは、弾性領域が引き伸ばされていない状態では、第２の材料片の下に隠れるようになっている。この実施形態による吸収用品は、好都合なことには、用品の弾性領域が過度に引き伸ばされてしまったかどうかを指し示す。第１の指標マーカーは、好都合なことには、第２の指標マーカーを含む別個の材料片の下に隠れる。第２の指標マーカーは、材料片と吸収用品との間で取り付け部から距離を置いて配置された材料片の縁部から適切に構成され、これに関連して第１の指標マーカーは、弾性領域が過度に引き伸ばされてしまったとき上記縁部に出現する。
【００２２】
さらなる実施形態によれば、第１の指標マーカーは少なくとも二つの指標レベルを具備してなり、これに関連して少なくとも一つの指標レベルは、弾性領域が過度に引き伸ばされてしまったことを指し示す。たとえば、第１の指標マーカーが、第１のレベル(これは用品の弾性領域が十分に引き伸ばされたことを意味する)と第２のレベル(これは弾性領域が過度に引き伸ばされてしまったことを意味する)とを表示するのが適切である。
【００２３】
ある実施形態は少なくとも一つの指標レベルを有し、これは、用品の弾性領域が、当該用品の良好な機能を確保するのに十分なほどには引き伸ばされていないことを指し示す。
【００２４】
吸収用品の弾性領域が不十分にしか引き伸ばされないことは全く稀な出来事ではなく、この結果、用品がその意図された機能を発揮できないことがある。たとえば新生児の親は、へその緒の上で過度にきつく、おむつのウエスト部領域を緊張させることを特に心配しがちである。こうした理由から、用品が意図したように緊張させられていないことを知らせる信号を出せるようにすることが有益である。
【００２５】
ある実施形態によれば、本吸収用品はパンツ型おむつからなる。
【００２６】
ある実施形態によれば、パンツ型おむつの弾性領域は、このパンツ型おむつのウエスト部伸縮体からなる。
【００２７】
ある実施形態は、吸収用品が開放式(オープン)オールインワン型おむつであることを特徴とし、しかもある実施形態によれば、弾性領域は、このオールインワン型おむつの取り付けフラップの少なくとも一つの少なくとも一部分からなる。
【００２８】
ある実施形態によれば、取り付けフラップは、おむつの長手方向縁部と長手方向中心ラインとの間で、オールインワン型おむつの裏当て層に対して取り付けられており、これに関連して、第１の指標マーカーは取り付けフラップ上に配置される。この場合、第１の指標マーカーは取り付け部と長手方向縁部との間に配置され、これに関連して、取り付け部と第１の指標マーカーとの間の取り付けフラップの少なくとも一部分は弾力性を有する。第２の指標マーカーは、第１の指標マーカーとオールインワン型おむつの長手方向縁部との間で裏当て層の上に配置されると共に用品の横方向に位置させられており、これに関連して、裏当て層は第２の材料片を形成している。
【００２９】
ある実施形態によれば、第２の指標マーカーは、オールインワン型おむつの長手方向縁部からなる。
【００３０】
ある実施形態によれば、オールインワン型おむつの、裏当て層に対するその取り付け部と長手方向縁部との間の、取り付けフラップの領域の少なくとも一部分は、材料片の下に隠れるようになっている。
【００３１】
ある実施形態によれば、材料片は裏当て層と共にポケットを形成し、かつポケットは開放されており、取り付けフラップがポケットから外部に延在しており、かつ取り付けフラップと裏当て層との間の取り付け部はポケット内に配置されている。
【００３２】
ある実施形態によれば、弾性領域は、オールインワン型おむつのウエスト部伸縮体からなる。
【００３３】
ある実施形態は、用品が、いわゆるベルト型おむつであることを特徴とする。
【００３４】
ベルト型おむつのベルト半体の少なくとも一つの少なくとも一部分が、ある実施形態における弾性領域を構成する。
【００３５】
ある実施形態では、ベルト半体は、おむつの長手方向縁部と長手方向中心ラインとの間で、ベルト型おむつの裏当て層に対して取り付けられる。第１の指標マーカーは、この例では、接続部と長手方向縁部との間でベルト半体上に配置され、これに関連して、取り付け部と第１の指標マーカーとの間のベルト半体の少なくとも一部は弾力性を有する。第２の指標マーカーは裏当て層上に配置されると共に第１の指標マーカーと長手方向縁部との間で用品の横方向に位置させられ、これに関連して、第２の材料片は裏当て層からなる。
【００３６】
ある実施形態によれば、第２の指標マーカーは、ベルト型おむつの長手方向縁部からなる。
【００３７】
ある実施形態では、ベルト半体は、液体透過性被覆層と裏当て層との間に配置される。
【００３８】
他の実施形態では、ベルト型おむつの、裏当て層に対するその取り付け部と長手方向縁部との間の、ベルト半体の領域の少なくとも一部分は、材料片の下に隠れるようになっている。
【００３９】
ある実施形態によれば、材料片は裏当て層と共にポケットを形成し、かつポケットは開放されており、ベルト半体がポケットから外側に延在しており、ベルト半体と裏当て層との間の取り付け部はポケット内に配置されている。
【発明を実施するための最良の形態】
【００４０】
本発明は、少なくとも一つの弾性領域を具備してなる使い捨て用途のための吸収用品に関し、弾性領域は当該領域の伸びの程度をチェックするための手段を具備してなる。たとえば、用品が、その装着後、着用者のウエストの周りで過度にきつく緊張させられることあるいは過度に緩くしか緊張させられないことがよくあるが、これは、用品のウエスト部伸縮体あるいは弾性取り付けタブの伸びの程度をチェックするための手段を用いてチェックできる。
【００４１】
本発明による吸収用品は、主として、オールインワン型おむつ、パンツ型おむつ、ベルト型おむつ、あるいはパンツ型の衛生保護用品のような吸収用品を、すなわち装着時に着用者の腹部を取り囲みかつ通常は一つ以上の弾性領域を具備してなる用品を意味する。
【００４２】
本発明を少量用の吸収用品、たとえば着用者の股部に配されるよう意図された生理用ナプキン、パンティライナーあるいは軽度の失禁症者用保護具に適用することも当然可能である。だが、着用者の下着内のこれら用品のデザインおよび位置は、伸びの表示の必要性が、この種の吸収用品に関しては、同じように有益ではないことを意味する。
【００４３】
オールインワン型おむつ、パンツ型おむつ、あるいはベルト型おむつは、まだ用便をしつけられていない幼児用のベビーおむつであってもよく、あるいは成人失禁症着用者のための失禁症者用保護具であってもよい。
【００４４】
いわゆるパンツ型おむつは、とりわけ、その股部領域の本質的に横方向の折り込みラインを中心として製造時に既に折り込まれ、その後、ウエスト部においてひとまとまりに接合されることを特徴とする。この種のおむつは、まさに下着のように、着用者に装着させることを意図したものである(すなわち、着用者はそれに脚を通す)。パンツ型おむつのウエスト部領域における接合部は、通常、分離可能であり、この結果、パンツ型おむつは、取り外す際に着用者の脚に沿って完全に下ろすことを要さずに、使用後、取り外すことができる。この機能は、パンツ型おむつが使用後にふん便で汚れたとき特に有用である。パンツ型おむつは、通常、ウエストおよび脚用開口部の周りに弾性領域を具備してなる。
【００４５】
開いて、再び閉じることができるパンツ型おむつもまた存在する。
【００４６】
そうしたパンツ型おむつは、ウエスト部においてひとまとまりに接合された状態で供給されるが、それは、たとえば用品の中味をチェックするために開いて、その後、再び閉じることができる。
【００４７】
ベルト型おむつは、それがおむつの吸収部分につながった横ベルトを具備してなることを特徴とするが、このベルトは、おむつの前側あるいは後側横方向縁部のいずれかに取り付けられる。
【００４８】
この種のベルト型おむつの装着時、ベルトは第１の段階として着用者のウエストの周りに固定される。おむつの吸収部は、それゆえ、ベルトからだらりと垂れ下がる。おむつの吸収部分は続いて着用者の脚間を通過させられ、そしてベルトに対して取り付けられるが、これに関連して、ベルトは、おむつの吸収部分にその自由横方向縁部に隣接して配置された固定機構に対して、しっかりと付着するよう意図された取り付け面を含む。ベルトおよび脚部切欠きは、通常、パンツ型おむつにおいては伸縮性が付与される。
【００４９】
いわゆるオールインワン型おむつは、それが取り付けフラップを含むことを特徴とするが、この取り付けフラップによって、おむつの前側ウエスト部および後側ウエスト部は、おむつを着用者のウエスト周りに被着させたときに取り付けられる。オールインワン型おむつは、通常、脚部切欠きに隣接して、かつウエスト部領域に関連して、弾性領域を具備するが、この場合、ウエスト部の少なくとも一部は、たいてい伸縮デバイスを含む。取り付けフラップは、多くのオールインワン型おむつにおいて弾性領域を含む。
【００５０】
図１ａには、本発明の第１の好ましい実施形態による、おむつ１０１の必須の構成要素を示す。
【００５１】
おむつ１０１は、いわゆるオールインワン型のオープン式おむつである。おむつ１０１は、販売時にはウエスト部領域においてひとまとまりに接合されておらず、むしろ、その後、着用者のウエスト部の周りでひとまとまりに接合するために、着用者の腹部の周りに被着させられるようになっている。このタイプのおむつ１０１は、通常、幼児および成人失禁症着用者のいずれに関しても一般的なものである。
【００５２】
おむつ１０１は実質的に砂時計形であり、それ自体、長手方向縁部１１２,１１３と、前側横方向縁部１１４と、後側横方向縁部１１５とを有する。おむつ１０１はさらに、前端部１２１と、後端部１２２と、この端部１２１,１２２間に配置された幅狭な股部１２３とを有する。股部１２３は、装着時、着用者の大腿部間の最も狭い領域に配置されるよう意図されている。
【００５３】
おむつ１０１の装着時、股部１２３の前側部分および前端部１２１は、主として尿を受ける領域として機能し、その一方、股部１２３の後側部分および後端部１２２は、主として、ふん便を受けるための領域として機能する。
【００５４】
おむつ１０１は、装着時に着用者の方に面するよう意図されたおむつ１０１の表面を覆うよう配された液体透過性被覆層１０２と、装着時に着用者と反対の側に面するよう意図されたおむつの表面を覆うよう配された裏当て層１０４と、液体透過性被覆層１０２と裏当て層１０４との間に封入された吸収体１０６と、この吸収体１０６の外側に配置された側方フラップ１０３とを具備してなる。
【００５５】
おむつ１０１の液体透過性被覆層１０２は、吸収体１０６の全周囲を取り囲むよう吸収体１０６の外側に広がっている。液体透過性被覆層１０２は、この目的に適した、いかなる材料からでも構成できる。一般的な液体透過性被覆材料の例は、不織布材料として知られた織られたものではない繊維材料、穿孔プラスチックフィルム、プラスチックあるいは繊維からなるメッシュおよび液体透過性フォーム層である。連続した細い繊維(これは主に用品の長手方向または横方向に延在している)からなる液体透過性被覆材料もまた知られている。表面の別の部分においては異なる材料からなる被覆と同等、上述した考えられ得る被覆材料の二つ以上のものからなるラミネートもまた一般に知られている。
【００５６】
現在一般的な状況は、その装着時に良好なフィット感をおむつ１０１に付与するために、液体透過性被覆層１０２は十分にあるいはある程度弾力性のある材料から構成されている。
【００５７】
特に高い強度および耐久性を示す吸収体１０６を含むおむつ１０１は、その装着時に着用者の方を向くおむつ１０１の面上に、余分な液体透過性被覆層を設けることを必要とせずに機能し得る。
【００５８】
裏当て層１０４はまた、吸収体１０６の周縁全体を取り囲むように、この吸収体１０６を越えて延在している。おむつ１０１に普通に存在する裏当て層１０４は、通常、液体不透過性を有するが、他のタイプの裏当て層もまた存在する。裏当て層１０４はある範囲のさまざまな材料から構成できる。裏当て層１０４はたいてい通常は、薄い、防水性プラスチックフィルムからなるが、たとえばプラスチックコーティング、防水フォーム層、防水接着剤によって防水性が付与された不織布材のような他のタイプの防水材料を使用することも可能である。裏当て層１０４はまた、水蒸気を透過させる防水性材料から構成することもできる。さらに、吸収体１０６に当接状態で配置された少なくとも一つの防水層を含む積層体も考えられる。これら積層体は、通常、水分バリアとして機能する防水材と、装着時に着用者とは逆の側を向くおむつ１０１の面に配置される、より織物に似た材料とから構成され、この結果、おむつ１０１の外面は、装着時、衣料品により似たものとなる。積層体の織物状層は、通常、不織布層からなり、これに関連して、この不織布層は、それが雄型のベルクロ(登録商標)材用の受け材として機能するよう形成できる。この種の不織布材は、それが閉じたリング(いわゆるループ)などからなることを特徴とする。
【００５９】
液体透過性被覆層１０２と裏当て層１０４とは、吸収体１０６の外側で、この吸収体１０６の全周囲に沿って互いに取り付けられる。
【００６０】
液体透過性被覆層１０２と裏当て層１０４とは、数多くのさまざまな手段で互いに取り付けることができる。取り付け手段の例としては、接着、熱溶着、超音波溶着などが挙げられる。
【００６１】
伸縮デバイス１０５が吸収体１０６の外側に配置されるが、おむつ１０１の側方フラップ１０３の当該部分において、この伸縮デバイスは本質的におむつ１０１の長手方向に延在している。伸縮デバイス１０５は脚部伸縮体として機能し、かつおむつ１０１の長手方向縁部１１２,１１３から液体やふん便が漏れるのを阻止する役割を果たし、これによってそれらは、周囲の層と共に外側水分バリア１０８を形成する。伸縮デバイス１０５は、少なくともおむつ１０１の股部１２３において、液体透過性被覆層１０２と裏当て層１０４との間に引き伸ばされた状態で設けられた一つ以上の弾性糸からなる。伸縮デバイス１０５は、接着、超音波溶着などによって、裏当て層１０４および被覆層１０２に対して取り付けられる。脚部伸縮体は、おむつ１０１の弾性領域１０７の一例である。
【００６２】
代替実施形態では、伸縮デバイスは、装着時に着用者の方に面するよう意図された側方フラップ１０３の面に、あるいはサイドフラップの反対側の面に配置でき、たとえばそれらは当然ながら、被覆層１０２および裏当て層１０４に対して取り付けられるだけである。
【００６３】
伸縮デバイスは、代替実施形態では、たとえばフォーム材料からなる、弾性テープ材から構成される。
【００６４】
砂時計形吸収体１０６は、セルロース綿毛状パルプからなる一つ以上の層から構成できる。セルロース綿毛状パルプは、この目的のために、吸収に関連して大量の液体と化学結合して液体含有ゲルを生じる種類の、高吸収力ポリマー素材の繊維または粒子を混合させることができる。吸収体１０６はまた、この吸収体内部の層内にあるいは吸収体の表面に関連付けて配置された高吸収力ポリマー材を含むことができる。吸収体１０６の特性を改善するための付加的要素もまた吸収体１０６内に存在してもよい。そうした要素の例としては、結束繊維、異なる種類の液体拡散層あるいは繊維、形状安定化要素、補強繊維などが挙げられる。吸収体１０６はまた当然ながら他の種類の吸収材、たとえば、吸収不織布材、吸収フォーム、織物材、ピートあるいは異なる種類の吸収材の混合物からなっていてもよい。
【００６５】
吸収体１０６が、おむつの製造に関連して製造されるのはよくあることであるが、これに関連して、吸収体１０６のさまざまな構成要素が製造装置において適切な様式で混合されかつ層状とさせられる。また、おむつを製造する装置とはつながっていない別個の製造ラインにおいて吸収体を製造することも考えられる。予め製造された吸収材料は、通常、ロール形態で供給されるが、これに関連して、この材料はおむつ製造用の装置において裁断されかつ折り込まれて所定形状となる。予め製造された吸収材料は、おむつ用製造装置において直接製造される吸収体と同じ構成要素を含んでいてもよい。原則として結束繊維は、予め製造される吸収材においては、それを簡単に取り扱うことができるようにするために必須の構成要素である。
【００６６】
上記種類のおむつはまた、吸収体１０６の他の部分へ一時的に蓄えた液体を続いて放出するために、かなり大量の液体を急速に受け容れかつこの液体を一時的に保持するための能力を備えた特別な層を含むことができる。そうした受け容れ層は、通常、おむつ１０１の液体透過性被覆層１０２と吸収体１０６との間に、この目的のために配置される。図１ａには、受け容れ層を示していない。
【００６７】
さらに、おむつ１０１の側縁部１１２,１１３からの液体あるいはふん便の漏れを阻止するために、おむつ１０１は、装着時に着用者の方に面するよう意図された面に、内側側方漏れバリア１０９を備える。内側側方漏れバリア１０９は吸収体１０６の長手方向縁部１１０に隣接して配置されており、かつ実質的におむつ１０１の長手方向に延在している。それぞれの内側側方漏れバリア１０９は別個の材料片１１１から形成されるが、これは、二つの実質的に平行な長手方向縁部１１６,１１７を有する。材料片１１１は二重に折り曲げられており、これと共に材料片１１１の長手方向縁部１１６,１１７は互いに隣接して配置されている。材料片１１１の縁部１１６,１１７は被覆層１０２に対して取り付けられており、かつ内側側方漏れバリアの取り付けられた縁部を構成している。材料片１１１の折り曲げられた縁部は、内側側方漏れバリア１０９の自由縁部を構成している。
【００６８】
内側側方漏れバリア１０９は折り込まれると共に、おむつ１０１の前端部１２１および後端部１２２において被覆層１０２に対して取り付けられている。
【００６９】
内側側方漏れバリア１０９は、予め引き伸ばされた状態で、この内側側方漏れバリア１０９に対して取り付けられた弾性要素１２４を具備してなる。弾性要素１２４は、好都合なことを言えば、内側側方漏れバリア１０９の自由縁部に隣接して配置される。予め引き伸ばされた弾性要素１２４が張力解放状態となったとき、それらは内側側方漏れバリア１０９の自由縁部と共に収縮し、これによって内側側方漏れバリア１０９は、少なくとも、おむつ１０１の股部１２３において、液体透過性被覆層１０２から離間した起立状態とさせられる(この場合、側方漏れバリア１０９は折り重ねられておらず、しかも被覆層１０２に対して張り付いていない)。
【００７０】
おむつ１０１の後部および／または前部はまた、いわゆるウエスト部伸縮体１２５を備えていてもよいが、これは、着用者のウエスト周りのソフトでかつ柔軟な密閉体を備えたおむつ１０１を得るために、おむつ１０１の前側横方向縁部１１４および／または後側横方向縁部１１５に沿って配置された伸縮デバイスからなる。本明細書で説明する代替実施形態では、おむつ１０１の後端部１２２のみがウエスト部伸縮体１２５を備える。ウエスト部伸縮体１２５は弾性フォーム材の薄片からなるが、これは、裏当て層１０４と液体透過性表面層１０２との間に接着剤を用いて取り付けられる。ウエスト部伸縮体１２５は層１０２,１０４間に引き伸ばされた状態で設けられるが、これは、着用者のウエスト周りで、おむつ１０１を引き伸ばす保持力をもたらすためである。
【００７１】
ウエスト部伸縮体１２５は、おむつ１０１の弾性領域１４３の一つを構成する。
【００７２】
着用者の周囲におむつ１０１を固定するために、二つの柔らかでかつ伸縮性のある取り付けフラップ１２６が後端部１２２に配置される。一つの取り付けフラップ１２６が、この目的のために、後端部１２２の各側部に配置される。取り付けフラップ１２６は、固定機構１２７を有する取り付けフラップ１２６による装着時、後端部１２２を前端部１２１に接続するが、固定機構１２７はおむつ１０１の前端部１２１に配置された受け部に対して取り付けることができる。取り付けフラップ１２６は、非常に柔らかい素材、たとえば単一の伸縮性を有する不織布層あるいは柔らかい弾性ラミネートから形成される。
【００７３】
代替実施形態では、取り付けフラップの長さの一部のみに伸縮性を付与することも考えられる。
【００７４】
弾性取り付けフラップ１２６は、おむつ１０１の弾性領域１４４のさらなる例をなしている。
【００７５】
固定機構１２７は好ましくはベルクロ(登録商標)材の雄部分からなり、かつおむつ１０１の装着時に受け部の方を向く取り付けフラップ１２６の側に、たとえば接着剤を用いて、取り付けフラップ１２６に対して取り付けられている。
【００７６】
取り付けフラップ１２６用の受け部(図１ａには示していない)は、このフラップ１２６の固定機構１２７に適合した受け材料の帯片からなる。受け部は、装着時に着用者とは反対側を向くおむつの面の、すなわち吸収体１０６とは反対側を向く裏当て層１０４の面の、前側横方向縁部１１４と実質的に平行に延在する。本明細書で説明する例証的実施形態では、受け部の材料はベルクロ(登録商標)材の雌部分からなり、かつおむつ１０１の長手方向のその範囲が取り付けフラップ１２６の幅１２９に対応するよう適切に形成される。受け部は、おむつ１０１の横方向におむつ１０１の全幅にわたって広く延在する。
【００７７】
これに代わるおむつの例証的実施形態においては、それぞれの固定機構１２７用の別個の受け部を配置することが考えられるが、この場合には、受け部は、おむつ１０１の前側横方向縁部１１４上に、おむつの長手方向縁部１１２,１１３に隣接して配置される。
【００７８】
おむつ１０１を幼児に装着させる際に、おむつ１０１は、幼児の股部おいて幼児の脚間に配置される。おむつ１０１は続いて、取り付けフラップ１２６が前端部１２１と重なるようにすることによって、幼児のウエストを取り囲むようになる。この結果、取り付けフラップ１２６の固定機構１２７は、おむつを確実に適所で保持するために、受け部に対して張り付けることができるようになる。
【００７９】
取り付けフラップ１２６は取り付け領域１３０において後端部１２２に対して取り付けられるが、この取り付け領域１３０は、長手方向に延在する側方縁部１１２,１１３と、おむつの長手方向中心ライン１２８との間に存在する後端部１２２の領域に配置されている。取り付け領域１３０は、取り付けフラップ１２６の一部と、互いに取り付けられる後端部１２２の一部とからなる。
【００８０】
代替実施形態における取り付けフラップ１２６の固定機構１２７は圧感接着剤から構成できるが、この場合、受け部(図１ａには示していない)は、適切な接合強度が得られるように固定機構１２７の選択された圧感接着剤を付着させることができる材料からなる。材料の組み合わせは、たいてい、装着時におむつ１０１の点検を可能とするために固定機構１２７と受け部との間の取り付け部を開き、そして再び閉じることができるよう選択される。
【００８１】
他の代替実施形態では、裏当て層１０４は、取り付けフラップ１２６の固定機構１２７と相互作用するよう構成でき、この場合、特別な受け部を必要としない。
【００８２】
図１ｂには、おむつ１０１を、装着時に着用者とは反対側を向くよう意図された側から見て示すが、これに関連して、おむつ１０１は、そのウエスト部伸縮体１２５およびその取り付けフラップ１２６が一緒に引っ張られた状態で示されている。
【００８３】
おむつは、まず第一に、一方ではウエスト部伸縮体１２５の伸びをチェックするための手段１３１を備え、かつ、他方では取り付けフラップ１２６の伸びをチェックするための手段１３２を備えることを特徴とする。
【００８４】
図１ｃには、おむつ１０１のウエスト部伸縮体１２５、ならびにウエスト部伸縮体１２５が収縮状態にあるときに伸縮体の伸びをチェックするための手段１３１が示されている。
【００８５】
図１ｄには、ウエスト部伸縮体１２５、ならびにこのウエスト部伸縮体１２５が引き伸ばされた際に伸縮体の伸びをチェックするための手段１３１が示されている。
【００８６】
ウエスト部伸縮体１２５の伸びをチェックするための手段１３１は、おむつ１０１の裏当て層１０４上に配置されているが、この結果、着用者がおむつ１０１を装着しているときチェックを容易に行うことができる。手段１３１はウエスト部伸縮体１２５上に配置されるが、これに関連して、それは、ウエスト部伸縮体１２５の長手方向にそしてその幅を横切って弾性領域に実質的に中央に配置される。
【００８７】
手段１３１は、ウエスト部伸縮体１２５上に配置された第１の指標マーカー１３３と、本質的に弾力性を持たない材料片１３５上に配置された第２の指標マーカー１３４とからなる。本明細書で説明する実施形態では、本質的に弾力性を持たない材料片１３５はウエスト部伸縮体１２５上に配置される。
【００８８】
代替実施形態では、第２の指標マーカーは、吸収用品のその他の本質的に弾力性のない部分に配置できる。
【００８９】
本明細書で説明する例証的実施形態における第１の指標マーカー１３３は、本質的に弾力性を持たない材料片１３５の対向する長手方向縁部に隣接配置された二つの三角形からなる。三角形は材料片１３５の面に対して目立つものであり、これに関連して、それぞれその三角形頂点が材料片１３５の方を向く状態で、三角形は互いに対向状態で配置されている。三角形は、適当なプリント技術によって、裏当て層１０４上に配されるが、これに関連して、それらは適当な色彩を呈することができる。
【００９０】
代替実施形態においては、第１の指標マーカー１３３は、ウエスト部伸縮体１２５に配置されたその他の明確に認識できるマーキングからなっていてもよい。ライン、四角形、図柄などの使用も、上記実施形態の第１の指標マーカー１３３を形成する三角形と同様に考えられる。
【００９１】
第１の指標マーカー１３３は当然ながらプリント技術によって設ける必要はなく、たとえばラベルに似た材料からなっていてもよいが、これは裏当て層に対してあるいはその他の適当な代替物に対して適当な様式で取り付けられる。
【００９２】
おむつ１０１の裏当て層１０２と液体透過性被覆層１０２との間に、第１の指標マーカー１３３を配置することも考えられるが、この場合、指標マーカー１３３は完全に認識できる色であり、そして裏当て層１０４がある程度の透明性を有することが必要となるであろう。
【００９３】
要約すると、最も重要な事柄は、指標マーカー１３３が、おむつ１０１を着用者に装着させた際に、明瞭に認識可能である、ということである。
【００９４】
その他の代替実施形態における第１の指標マーカー１３３は、たとえば、本質的にウエスト部伸縮体１２５の長手方向を横切って延在する連続ラインからなることができるが、これに関連して、このラインは、別個の、弾力性を持たない材料片１３５の外側で延在する。この種の指標マーカー１３３は、その結果として、本質的に弾力性を持たない材料片１３５の下に部分的に隠れ、そして材料片１３５の側部に対して部分的に目立つものとなっている。
【００９５】
第２の指標マーカー１３４を具備してなる、本質的に弾力性を持たない材料片１３５を、本質的に透明な材料から構成することも考えられ、これに関連して、第１の指標マーカー１３３は材料片を通して認識可能である。弾力性を持たない材料片１３５のそうした実施形態においては、第１の指標マーカー１３３はそれ全体を材料片１３５の下方に配置できる。
【００９６】
第２の指標マーカー１３４は、上述したように、本質的に弾力性を持たない材料片１３５の上に配置される。
【００９７】
材料片１３５は矩形状を呈し、これに関連して、その長手方向範囲はウエスト部伸縮体１２５の伸びの方向に配置される。材料片１３５は第１の端部領域１３６と第２の端部領域１３７とを有する。
【００９８】
第１の端部領域１３６は裏当て層１０４に取り付けられるが、第２の端部領域１３７は取り付けられず、自由な状態である。
【００９９】
取り付けは、数多くのさまざまな手法で、たとえば接着、熱融着、超音波溶着にて実施できる。
【０１００】
第２の指標マーカー１３４(これは、本質的に弾力性を持たない材料片１３５の上に配置される)は、材料片１３５の長手方向範囲と交差して延在するバツ印の列からなる。
【０１０１】
ウエスト部伸縮体１２５が収縮状態にあるとき、第２の指標マーカー１３４は、第１の指標マーカー１３３と、第２の端部領域１３７に隣接する材料片１３５の端部との間に存在する。
【０１０２】
ウエスト部伸縮体１２５を引っ張ることで引き伸ばしたとき、第１の端部領域１３６に隣接する、裏当て層１０４に対する本質的に弾力性を持たない材料片１３５の取り付け部と第１の指標マーカー１３３との間の距離は増大する。
【０１０３】
その一方で、上記取り付け部と第２の指標マーカー１３４との間の距離は一定不変である。なぜなら、材料片１３５は本質的に弾力性を持たないからである。
【０１０４】
本質的に非弾性の材料片１３５は、全体として、(それがウエスト部伸縮体１２５に対して取り付けられるポイントに依存して)一つあるいはそれ以上の方向に変位できるが、これは本発明に関して問題とはならない。本発明に関する重大な事項は、ある距離(ウエスト部伸縮体１２５)が増大し、その一方で、(本質的に非弾性の材料片１３５に関する)第２の距離は一定不変であるということである。その帰結として、第１の指標マーカー１３３は第２の指標マーカー(１３４)の近くに移動し、そして図１ｄに示すように、二つの指標マーカー１３３,１３４が互いに隣接する状態となったとき、ウエスト部伸縮体１２５は、おむつ１０１を装着する際に超過すべきではない伸び具合に達してしまっている。第１の指標マーカー１３３が第２の指標マーカー１３４を通り過ぎてしまった場合、ウエスト部伸縮体１２５は過度の緊張状態にあり、この結果として、着用者は過度の緊張状態にあるウエスト部伸縮体１２５によって望ましくない影響を受けるであろう。
【０１０５】
代替実施形態では、指標マーカー１３３,１３４の一つ以上が、ウエスト部伸縮体１２５の伸びの方向に広がっていてもよく、これに関連して、たとえば距離を指し示すことができる。
【０１０６】
指標マーカー１３３,１３４の一つ以上が多数のレベルを表示することも考えられ、これに関連して、たとえば、第１のレベルはウエスト部伸縮体１２５の過小な伸び／緊張状態を示し、第２のレベルが適正な伸び／緊張状態を示し、そして第３のレベルが過大な伸び／緊張状態を示す。
【０１０７】
上記説明に基づいて形成された、伸びをチェックするための手段１３１は、いわゆるパンツ型おむつ(このものでは、ウエスト部伸縮体はたいていパンツ型おむつのウエスト用開口部全体の周りで延在している)のウエスト部伸縮体の伸びをチェックするのに特に適している。伸びをチェックするための手段１３１は、この場合、パンツ型おむつのウエスト部伸縮体上の、いかなるポイントにでも配置できる。前方で腹部領域に、あるいは後方で背中領域に配置するのが有益であるが、手段１３１はパンツ型おむつを着用者に装着させた後に見つけ出して、チェックするのが容易でなければならないという要求を考慮する必要がある。
【０１０８】
図１ｅおよび図１ｆに示すのは本発明の代替実施形態であり、図１ｅは収縮状態で実施形態を示し、かつ図１ｆはウエスト部伸縮体１２５が引き伸ばされた状態で実施形態を示している。
【０１０９】
ウエスト部伸縮体１２５の伸びをチェックするための手段１３１は、上記実施形態に関して説明した手段１３１に含まれる同一の要素を具備してなる。ウエスト部伸縮体１２５の伸びをチェックするための手段１３１は、それゆえ、本質的に弾力性を持たない材料片１３５と、伸縮体１２５上に配置された第１の指標マーカー１３３と、材料片１３５上に配置された第２の指標マーカー１３４とを具備してなる。材料片１３５は、まさに上記実施形態のように、ウエスト部伸縮体１２５に取り付けられた第１の端部領域１３６と、第２の端部領域１３７とを具備してなる。
【０１１０】
第２の端部領域１３７は、矩形状の、弾力性を持つ材料片１３８に対して取り付けられており、これに関連して、弾力性を持つ材料片１３８は、本質的に弾力性を持たない材料片１３５の延長部を形成している。弾力性を持つ材料片１３８の端部領域１４０は、ウエスト部伸縮体１２５に対して取り付けられている。
【０１１１】
裏当て層１０４に対する本質的に弾力性を持たない材料片１３５の取り付け部と、裏当て層１０４に対する弾力性を持つ材料片１３８の取り付け部との間に配置されたウエスト部伸縮体１２５の一部が引き伸ばされるとき、伸び全体を、弾性伸びをチェックするための手段１３１に対して取り付けられた弾力性を持つ材料片１３８が引き受ける必要がある。相対的に考えて、弾力性を持つ材料片１３８は、それゆえ、ウエスト部伸縮体１２５よりもさらに格段に多く引き伸ばされる必要がある。なぜなら、弾力性を持つ材料片１３８は、裏当て層１０４に対する本質的に弾力性を持たない材料片１３５の取り付け部と、裏当て層１０４に対する弾力性を持つ材料片１３８の取り付け部との間の距離よりも著しく短いからである。
【０１１２】
本発明を機能させるためには弾力性を持つ材料片１３８は必要ではないが、材料片１３８を導入したことは、弾性伸びをチェックするための手段１３１の自由端部が、弾力性を持つ材料片１３８を介して、おむつ１０１の裏当て層に対して取り付けられたままとなることを意味する。
【０１１３】
弾力性を持つ材料片１３８を備えた構成によって、材料片１３５の第２の端部領域１３７が折れ曲がったりあるいはその他の形で適切な位置からずれてしまったりすること(これは手段１３１の機能を損なうか、あるいはおむつ１０１の扱いに関する問題を引き起こし得る)が防止される。
【０１１４】
おむつ１０１はまた、それが、取り付けフラップ１２６の伸びをチェックするための第２の手段１３２を有することを特徴とする。
【０１１５】
取り付けフラップ１２６の伸びを指し示すための第１の指標マーカー１４１が、個々の弾力性のある取り付けフラップ１２６の取り付け領域１３０と、おむつ１０１の個々の長手方向縁部１１２,１１３との間に配置される。指標マーカー１４１は、取り付けフラップ１２６の残部とは異なる色で着色された取り付けフラップ１２６上の領域からなる。本発明が機能できるようにするため、取り付けフラップ１２６の取り付け領域１３０と指標マーカー１４１との間の距離の少なくとも一部は弾力性を有していなければならない。
【０１１６】
手段１３２の第２の指標マーカー１４２は、おむつ１０１の長手方向縁部１１２,１１３(これらは個々の取り付けフラップ１２６と交差する)からなるが、これに関連して、おむつ１０１の裏当て層１０４は、その上に第２の指標マーカー１４２が配置される本質的に弾力性を持たない材料片１４５を構成する。
【０１１７】
第２の指標マーカー１４２は色などで特に目立つようにしてはいないが、当然ながら、代替実施形態においては、それを適切な手法で目立たせる(印を付ける)ことができる。
【０１１８】
指示のための手段１３２は、取り付けフラップ１２６が十分に緊張させられたことを指し示すためのものであるが、第２の指標マーカー１４２および第１の指標マーカー１４１が、おむつ１０１を着用者に装着させた際に一方が他方の上に載るよう配置されたとき、取り付けフラップ１２６は十分に緊張させられる。
【０１１９】
代替実施形態では、第１の指標マーカー１４１は多数のレベルを具備してなることができ、これに関連して、たとえば、第１のレベルは緊張状態が不完全であることを示し、中間レベルは緊張状態が適切であることを示し、そして第３のレベルは取り付けフラップ１２６が過度の緊張状態にあることを示す。第１のレベル(これは緊張状態が不完全であることを示す)は、この例では、取り付けフラップ１２６の取り付け領域１３０から最も遠い位置に配置され、そして過度の緊張状態を示すレベルは、したがって取り付けフラップ１２６の取り付け領域１３０の最も近くに配される。
【０１２０】
他の代替実施形態においては、手段１３２の第２の指標マーカー１４２は裏当て層１０４の上に配置でき、これに関連して、それは、取り付けフラップ１２６が引き伸ばされていない状態にあるとき、取り付けフラップ１２６上の第１の指標マーカー１４１と、おむつ１０１の長手方向縁部との間に、おむつ１０１の横方向に配置される。指標マーカー１４２は、カラーマーキング、接着ラベルなどから形成できる。第２の指標マーカー１４２はまた、さまざまなレベルを具備してなることができる。
【０１２１】
図２ａには、本発明によるベルト型おむつ２０１を、装着時に、着用者の方に面するよう意図された側から見て示すが、同じベルト型おむつ２０１が図２ｂにおいては反対側から見て示されている。
【０１２２】
ベルト型おむつ２０１は、その取り付け構造体が着用者のウエストを取り囲むよう意図された弾性ベルト２４５を具備してなる点で、開放型おむつとは異なり、これに関連して、ベルトは、着用者のウエストの周りでベルト２４５を固定するための固定機構２２７を具備してなる。
【０１２３】
ベルト型おむつ２０１は、二つの弾性ベルト半体２４６,２４７を具備してなり、これに関連して、ベルトの個々の半体２４６,２４７は、ベルト型おむつ２０１の液体透過性裏当て層２０４に対して、ベルト型おむつ２０１の長手方向縁部２１２,２１３と長手方向中心ライン２２８との間で、後側横方向縁部２１５に隣接して接合されている。
【０１２４】
ベルト半体２４６,２４７は、ベルト型おむつ２０１の吸収体２０６に対して横方向に延在している。
【０１２５】
弾性ベルト半体２４６,２４７は、ベルト型おむつの弾性領域２４４の代表例である。
【０１２６】
取り付け構造体はまた、前側横方向縁部２１４に隣接して、ベルト型おむつ２０１の長手方向縁部２１２,２１３上に配置された二つの前側固定機構２４８を具備してなる。前側固定機構２４８は、着用者へのベルト型おむつ２０１の装着に伴って、ベルト２４５に対して固定されるものである。
【０１２７】
前側固定機構２４８はベルクロ(登録商標)要素２４９を具備してなるが、このベルクロ(登録商標)要素２４９は、おむつ装着時に着用者とは反対側に面するよう意図されたベルト２４５の面と相互作用するよう意図されている。
【０１２８】
代替実施形態では、前側固定機構２４８は、着用者とは反対側に面するベルト２４５の面に対して止着されるよう意図された接合要素を具備してなることができる。この場合、ベルト２４５は、接合要素と相互作用するよう意図された表面、たとえばプラスチックフィルムなどからなる表面を含んでいる必要がある。
【０１２９】
ベルト型おむつ２０１を着用者に装着させるべきとき、ベルト２４５は第１段階として着用者のウエスト周りに固定される。とりわけ、前側横方向縁部２１４および吸収体２０６を具備してなるベルト型おむつ２０１の吸収部分は、続いて、着用者の脚の間を通り、その後、二つの前側固定機構２４８は、最終的に、着用者とは反対側を向くベルト２４５の面に対して固定されることになる。
【０１３０】
ベルト型おむつ２０１は、主として、それがベルト２４５の伸びをチェックするための手段２３１を具備してなることによって特徴付けられる。ベルト半体２４６,２４７は、いずれも伸びをチェックするための手段２３１を具備してなる。
【０１３１】
伸びをチェックするための手段２３１がどのように構成されているかを、より分かりやすく説明するために、ベルトが引き伸ばされていないときに手段２３１の第１の指標マーカー２３３を見えなくする材料層２５０は、図２ｂの一方のベルト半体２４６に関しては除去された状態となっている。
【０１３２】
さらに構造を明確にするために、ベルト半体２４６は引き伸ばされていない状態で示しており、一方、対向するベルト半体２４７はそれが通常の使用レベルまで引き伸ばされた状態で示している(こうした状況(一方のベルト半体２４６は引き伸ばされず、かつ他方の  ベルト半体２４７が引き伸ばされている)は、おむつの装着に関して、本来、適切ではないが、分かりやすくするために、このようにして示している)。
【０１３３】
ベルト半体２４６,２４７は、このベルト半体２４６,２４７の取り付け領域２３０と、ベルト型おむつ２０１の長手方向縁部２１２,２１３との間に第１の指標マーカー２３３を有する。ベルト半体２４６,２４７は、取り付け領域２３０と第１の指標マーカー２３３との間の領域の少なくとも一部分において弾力性を呈する。
【０１３４】
第１の指標マーカー２３３は、ベルト半体２４６,２４７の長手方向に連続的に配置された三つの領域を具備してなるが、これに関連して、当該領域は、「ＬＯＷ(低)」、「ＮＯＲＭＡＬ(標準)」、そして「ＨＩＧＨ(高)」のレベルを指し示す。「ＬＯＷ」という語で印が付けられた領域は、裏当て層２０４に対するベルト半体２４６,２４７の取り付け部２３０から最も遠く離れた位置に配置され、それは、ベルトが着用者のウエスト周りに十分にきつくは締め込まれていないことを示すよう意図されている。「ＨＩＧＨ」という語で印が付けられた領域は、裏当て層２０４に対するベルト半体２４６,２４７の取り付け部２３０に最も接近した位置に配置され、それは、ベルトが着用者のウエスト周りに過度にきつく締め込まれてしまったことを示すよう意図されている。「ＮＯＲＭＡＬ」という語で印が付けられた領域は、他の二つの領域同士の間に配置されており、それは着用者のウエスト周りのベルトの締め込み状態が適正であることを示す。
【０１３５】
第１の指標マーカー２３３は、その全体が、ベルト半体２４６,２４７が非伸長状態にあるとき材料層２５０の下に隠れる。
【０１３６】
材料層２５０は裏当て層２０４上に配置されるが、これに関連して、それは、ベルト半体２４６,２４７の取り付け領域２３０とおむつ２０１の長手方向縁部２１２,２１３との間に配置されたベルト半体２４６,２４７の一部分を見えなくする。材料層２５０は、ベルト半体２４６,２４７の外側の、その四つの縁部のうちの三つに沿って、裏当て層２０４に対して取り付けられ、これに関連して材料層２５０はポケット２５１の半分を形成し、そしてこれに関連してポケット２５１の残り半分は裏当て層２０４からなる。
【０１３７】
ポケット２５１は、ベルト半体２４６,２４７が突出する縁部に沿って開放されている。手段２３１の第２の指標マーカー２３４は材料層２５０の自由縁部２５２からなり、これに関連して、材料層２５０は手段２３１の本質的に弾力性を持たない材料片２３５を構成する。手段２３１の第１の指標マーカー２３３は、ベルト半体２４６,２４７が引き伸ばされたとき上記縁部２５２を背にして出現し、そして第１の指標マーカー２３３の三つのレベルのうちの一つ以上が上記縁部２５２上で認識できるようになる。
【０１３８】
代替実施形態においては、材料層２５０の縁部２５２は、ベルト型おむつ２０１の長手方向縁部２１２,２１３の内側あるいは外側に配置できる。
【０１３９】
ベルト半体２４６,２４７がベルト型おむつ２０１の液体透過性被覆層２０２と裏当て層２０４との間に取り付けられた実施形態もまた考えられるが、これに関連して、ポケットは被覆層２０２,２０４間に配置される。ベルト半体２４６,２４７がそこでベルト型おむつ２０１から突出する裏当て層２０４の縁部は、そうした実施形態における上記手段の第２の指標マーカー２３４を形成する。
【０１４０】
他の代替実施形態では、第１の指標マーカー２３３はベルト半体２４６,２４７を横切って延在するラインだけから構成でき、これに関連して、当該ラインはベルトの伸びが過大であることのみを指し示す。
【０１４１】
ベルト型おむつ２０１は当然ながら代替実施形態においては、開放型、いわゆるオールインワン型おむつ１０１用の取り付けフラップ１２６に関して上述した手段１３２と同じタイプのものを備えることができる。
【０１４２】
本発明はまた、上記例証的実施形態の全ての考えられ得る組み合わせにも及ぶ。
【０１４３】
さらに、本発明は上記例証的実施形態に限定されるものではなく、もちろん、請求項に記載された範囲内の他の実施形態にも応用可能である。
【図面の簡単な説明】
【０１４４】
【図１ａ】本発明の第１の好ましい実施形態によるオールインワン型おむつを、おむつ装着時に着用者の方に面するよう意図された側から見て示す図である。
【図１ｂ】図１ａによるおむつを、その使用前の状態において、おむつ装着時に着用者とは反対側に面するよう意図された側から見て示す図である。
【図１ｃ】伸縮体の伸びをチェックするための、関連付けられた手段を備えた、おむつのウエスト部伸縮体を、この伸縮体が収縮した状態にて示す図である。
【図１ｄ】図１ｃのウエスト部伸縮体ならびに引き伸ばされた状態にある伸縮体の伸びをチェックするための手段を示す図である。
【図１ｅ】伸縮体の伸びをチェックするための、関連付けられた手段を備えた、代替実施形態におけるおむつのウエスト部伸縮体を、この伸縮体が収縮した状態にて示す図である。
【図１ｆ】図１ｅのウエスト部伸縮体ならびに引き伸ばされた状態にある伸縮体の伸びをチェックするための手段を示す図である。
【図２ａ】本発明の第２の好ましい実施形態によるベルト型おむつを、おむつ装着時に着用者の方に面するよう意図された側から見て示す図である。
【図２ｂ】図２ａによるベルト型おむつを、その使用前の状態において、おむつ装着時に着用者とは反対側に面するよう意図された側から見て示す図である。
【符号の説明】
【０１４５】
１０１  おむつ
１０２  液体透過性被覆層
１０３  側方フラップ
１０４  裏当て層
１０５  伸縮デバイス
１０６  吸収体
１０７  弾性領域
１０８  外側水分バリア
１０９  内側側方漏れバリア
１１０  長手方向縁部
１１１  材料片
１１２,１１３  長手方向縁部
１１４,１１５  横方向縁部
１１６,１１７  長手方向縁部
１２１  前端部
１２２  後端部
１２３  股部
１２４  弾性要素
１２５  ウエスト部伸縮体
１２６  取り付けフラップ
１２７  固定機構
１３０  取り付け領域
１３１,１３２  伸びをチェックするための手段
１３３,１３４  指標マーカー
１３５  本質的に弾力性を持たない材料片
１３６,１３７  端部領域
１３８  弾力性を持つ材料片
１４０  端部領域
１４１,１４２  指標マーカー
１４３,１４４  弾性領域
１４５  本質的に弾力性を持たない材料片
２０１  ベルト型おむつ
２０４  液体透過性裏当て層
２０６  吸収体
２１２,２１３  長手方向縁部
２１４,２１５  横方向縁部
２２７  固定機構
２２８  中心ライン
２３０  取り付け領域
２３１  伸びをチェックするための手段
２３３,２３４  指標マーカー
２３５  本質的に弾力性を持たない材料片
２４４  弾性領域
２４５  ベルト
２４６,２４７  弾性ベルト半体
２４８  前側固定機構
２４９  ベルクロ(登録商標)要素
２５０  材料層
２５１  ポケット
２５２  自由縁部
【図１ａ】
2008522781.tif 000003
【図１ｂ】
2008522781.tif 000004
【図１ｃ】
2008522781.tif 000005
【図１ｄ】
2008522781.tif 000006
【図１ｅ】
2008522781.tif 000007
【図１ｆ】
2008522781.tif 000008
【図２ａ】
2008522781.tif 000009
【図２ｂ】
2008522781.tif 000010
【国際調査報告】
2008522781.tif 000011
2008522781.tif 000012